(57)【要約】【課題】緊急放送を受信した場合に、ユーザが操作することなく、他の電子機器の動作を制御する。【解決手段】緊急放送等の緊急情報を受信し、ユーザに対して通知する防災無線システムは、緊急情報を受信し、緊急情報の音声を出力する第１の無線受信機と、第１の無線受信機の制御に基づき、緊急情報の音声を出力する第２の無線受信機とで構成される。第１の無線受信機は、緊急情報を受信した際に、第２の無線受信機を起動させるための起動信号を生成して出力し、第２の無線受信機は、起動信号に基づき緊急情報の音声を出力すると共に、予め設定された、外部の電子機器を操作制御するための制御信号を出力する。第１の無線受信機で緊急情報を受信した場合に、第１の無線受信機からの起動信号によって第２の無線受信機が起動し、第２の無線受信機が外部の電子機器の操作を制御するため、外部の電子機器を容易に操作することができる。【選択図】図４
2014027576.tif 000002
【特許請求の範囲】
【請求項１】
緊急放送等の緊急情報を受信し、ユーザに対して通知する防災無線システムであって、
前記緊急情報を受信し、該緊急情報の音声を出力する第１の無線受信機と、
前記第１の無線受信機の制御に基づき、前記緊急情報の音声を出力する第２の無線受信機とからなり、
前記第１の無線受信機は、前記緊急情報を受信した際に、前記第２の無線受信機を起動させるための起動信号を生成して出力し、
前記第２の無線受信機は、前記起動信号に基づき前記緊急情報の音声を出力すると共に、予め設定された、外部の電子機器を操作制御するための制御信号を出力することを特徴とする防災無線システム。
【請求項２】
前記制御信号による前記外部の電子機器に対する操作は、連続的に実行可能であることを特徴とする請求項１に記載の防災無線システム。
【請求項３】
前記第１の無線受信機は、
防災無線信号を受信する防災無線受信部と、
所定の方式で変調された無線信号を受信する第１の無線受信部と、
前記防災無線受信部及び前記第１の無線受信部で受信した無線信号により得られる音声信号に基づき、前記緊急情報を受信したか否かを検出する検出部と、
前記検出部の検出結果に基づき、前記緊急情報を受信したと判断した場合に、前記起動信号を生成する第１の制御部と、
前記防災無線受信部及び前記第１の無線受信部で受信した無線信号により得られる前記音声信号を出力する第１の音声出力部と、
前記第１の制御部で生成された前記起動信号を、前記第２の無線受信機に対して送信する起動信号送信部とを有し、
前記第２の無線受信機は、
所定の方式で変調された無線信号を受信する第２の無線受信部と、
前記第１の無線受信機から送信された前記起動信号を受信する起動信号受信部と、
前記起動信号受信部で前記起動信号を受信した場合に、前記制御信号を出力する第２の制御部と、
前記第２の制御部から出力された前記制御信号を送信する送信部と、
前記第２の無線受信部で受信した無線信号により得られる音声信号を出力する第２の音声出力部とを有することを特徴とする請求項１又は２に記載の防災無線システム。
【請求項４】
前記第１の無線受信機は、
前記緊急情報を受信したことを光によって通知する第１の表示部をさらに有することを特徴とする請求項３に記載の防災無線システム。
【請求項５】
前記第２の無線受信機は、
前記起動信号を受信した際に、前記第１の無線受信機で前記緊急情報を受信したことを光によって通知する第２の表示部をさらに有することを特徴とする請求項３又は４に記載の防災無線システム。
【請求項６】
前記第１及び第２の無線受信機は、前記緊急情報を受信した際に、前記音声を最大音量で出力することを特徴とする請求項１乃至５のいずれかに記載の防災無線システム。
【請求項７】
緊急放送等の緊急情報を受信し、ユーザに対して通知する無線受信機であって、
防災無線信号を受信する防災無線受信部と、
所定の方式で変調された無線信号を受信する無線受信部と、
前記防災無線受信部及び前記無線受信部で受信した無線信号により得られる音声信号に基づき、前記緊急情報を受信したか否かを検出する検出部と、
前記検出部の検出結果に基づき、前記緊急情報を受信したと判断した場合に、他の無線受信機を起動させるための起動信号を生成する制御部と、
前記防災無線受信部及び前記無線受信部で受信した無線信号により得られる前記音声信号を出力する音声出力部と、
前記制御部で生成された前記起動信号を、前記他の無線受信機に対して送信する起動信号送信部とを有することを特徴とする無線受信機。
【請求項８】
緊急放送等の緊急情報を受信し、ユーザに対して通知する無線受信機であって、
所定の方式で変調された無線信号を受信する無線受信部と、
他の無線受信機から送信された、前記無線受信機を起動させるための起動信号を受信する起動信号受信部と、
前記起動信号受信部で前記起動信号を受信した場合に、予め設定された、外部の電子機器を操作制御するための制御信号を出力する制御部と、
前記制御部から出力された前記制御信号を送信する送信部と、
前記無線受信部で受信した無線信号により得られる音声信号を出力する音声出力部とを有することを特徴とする無線受信機。
【発明の詳細な説明】
【技術分野】
【０００１】
本発明は、防災無線システム及び無線受信機に関し、特に、緊急放送等を受信した際に、他の電子機器の操作が可能なシステム及び無線受信機に関する。
【背景技術】
【０００２】
従来、緊急地震速報や緊急津波速報、緊急警報放送等の緊急放送や、自治体等によって放送される同報系防災行政無線等の緊急放送を受信した際に、ユーザに対して音や光で通知するラジオ等の無線受信機が普及している（例えば、特許文献１）。
【０００３】
このような無線受信機では、緊急放送を受信した場合に、機器の電源のＯＮ／ＯＦＦに関わらず、予め設定されたチャンネルの放送を流すことができる。また、機器に設けられたＬＥＤ（Light Emitting Diode）等を点灯／点滅させることにより、緊急放送を受信したことをユーザに通知することもできる。
【先行技術文献】
【特許文献】
【０００４】
【特許文献１】特開２００８−１６０７８９号公報
【発明の概要】
【発明が解決しようとする課題】
【０００５】
ところで、このような無線受信機は、通常、ユーザが定めた所定の場所に設置されることが多い。そのため、例えば、ユーザが無線受信機の設置場所から離れ、無線受信機からの放送を聴取することができない場所にいるときに、無線受信機によって緊急放送を受信した場合、ユーザは、緊急放送を受信したことを認識することができないことが考えられる。
【０００６】
また、緊急放送を認識した場合、多くのユーザは、例えば、テレビ等の他の電子機器を操作して、その内容をより詳細に取得しようとすることが考えられるが、ユーザのいる場所によっては、他の電子機器を操作することが困難である場合が考えられる。
【０００７】
そこで、本発明は、上記従来の技術における問題点に鑑みてなされたものであって、緊急放送を受信した場合に、ユーザが操作することなく、他の電子機器の動作を制御することが可能な防災無線システム及び無線受信機を提供することを目的とする。
【課題を解決するための手段】
【０００８】
上記目的を達成するため、本発明は、緊急放送等の緊急情報を受信し、ユーザに対して通知する防災無線システムであって、前記緊急情報を受信し、該緊急情報の音声を出力する第１の無線受信機と、前記第１の無線受信機の制御に基づき、前記緊急情報の音声を出力する第２の無線受信機とからなり、前記第１の無線受信機は、前記緊急情報を受信した際に、前記第２の無線受信機を起動させるための起動信号を生成して出力し、前記第２の無線受信機は、前記起動信号に基づき前記緊急情報の音声を出力すると共に、予め設定された、外部の電子機器を操作制御するための制御信号を出力することを特徴とする。
【０００９】
そして、本発明によれば、第１の無線受信機で緊急情報を受信した際に、第１の無線受信機からの起動信号によって第２の無線受信機を起動させ、第２の無線受信機から外部の電子機器を操作制御するための制御信号が出力されるため、ユーザによる外部の電子機器の操作が困難な場合でも、外部の電子機器を容易に操作することが可能になる。
【００１０】
上記防災無線システムにおいて、前記制御信号による前記外部の電子機器に対する操作を、連続的に実行可能とすることができる。これにより、例えば、テレビ等の電子機器の電源をＯＮとするだけでなく、所望のチャンネルを表示させることができ、緊急情報に関する詳細な情報を容易に得ることができる。
【００１１】
上記防災無線システムにおいて、前記第１の無線受信機は、防災無線信号を受信する防災無線受信部と、所定の方式で変調された無線信号を受信する第１の無線受信部と、前記防災無線受信部及び前記第１の無線受信部で受信した無線信号により得られる音声信号に基づき、前記緊急情報を受信したか否かを検出する検出部と、前記検出部の検出結果に基づき、前記緊急情報を受信したと判断した場合に、前記起動信号を生成する第１の制御部と、前記防災無線受信部及び前記第１の無線受信部で受信した無線信号により得られる前記音声信号を出力する第１の音声出力部と、前記第１の制御部で生成された前記起動信号を、前記第２の無線受信機に対して送信する起動信号送信部とを有し、前記第２の無線受信機は、所定の方式で変調された無線信号を受信する第２の無線受信部と、前記第１の無線受信機から送信された前記起動信号を受信する起動信号受信部と、前記起動信号受信部で前記起動信号を受信した場合に、前記制御信号を出力する第２の制御部と、前記第２の制御部から出力された前記制御信号を送信する送信部と、前記第２の無線受信部で受信した無線信号により得られる音声信号を出力する第２の音声出力部とを有することができる。
【００１２】
上記防災無線システムにおいて、前記第１の無線受信機は、前記緊急情報を受信したことを光によって通知する第１の表示部をさらに有することができる。これにより、光によるユーザに対する通知を行うことができるので、ユーザに対して緊急情報を受信したことをより確実に通知することができる。
【００１３】
上記防災無線システムにおいて、前記第２の無線受信機は、前記起動信号を受信した際に、前記第１の無線受信機で前記緊急情報を受信したことを光によって通知する第２の表示部をさらに有することができる。これにより、ユーザに対して緊急情報を受信したことをより確実に通知することができる。
【００１４】
上記防災無線システムにおいて、前記第１及び第２の無線受信機は、前記緊急情報を受信した際に、前記音声を最大音量で出力することができる。これにより、ユーザに対して緊急情報をより確実に通知することができる。
【００１５】
また、本発明は、緊急放送等の緊急情報を受信し、ユーザに対して通知する無線受信機であって、防災無線信号を受信する防災無線受信部と、所定の方式で変調された無線信号を受信する無線受信部と、前記防災無線受信部及び前記無線受信部で受信した無線信号により得られる音声信号に基づき、前記緊急情報を受信したか否かを検出する検出部と、前記検出部の検出結果に基づき、前記緊急情報を受信したと判断した場合に、他の無線受信機を起動させるための起動信号を生成する制御部と、前記防災無線受信部及び前記無線受信部で受信した無線信号により得られる前記音声信号を出力する音声出力部と、前記制御部で生成された前記起動信号を、前記他の無線受信機に対して送信する起動信号送信部とを有することを特徴とする。本発明によれば、緊急情報を受信した際に、他の無線受信機を起動させるため、本気の周辺にユーザが存在しない場合でも、離れた場所に設置された他の無線受信機を起動させることができるため、ユーザに対して緊急情報を受信しことをより確実に通知することが可能になる。
【００１６】
さらに、本発明は、緊急放送等の緊急情報を受信し、ユーザに対して通知する無線受信機であって、所定の方式で変調された無線信号を受信する無線受信部と、他の無線受信機から送信された、前記無線受信機を起動させるための起動信号を受信する起動信号受信部と、前記起動信号受信部で前記起動信号を受信した場合に、予め設定された、外部の電子機器を操作制御するための制御信号を出力する制御部と、前記制御部から出力された前記制御信号を送信する送信部と、前記無線受信部で受信した無線信号により得られる音声信号を出力する音声出力部とを有することを特徴とする無線受信機。本発明によれば、他の無線受信機から受信した起動信号によって本機が起動され、外部の電子機器を操作することができるため、ユーザによる外部の電子機器の操作が困難な場合でも、外部の電子機器を容易に操作することが可能になる。
【発明の効果】
【００１７】
以上のように、本発明によれば、緊急放送を受信した場合に、ユーザが操作することなく、他の電子機器の動作を制御することが可能になる。
【図面の簡単な説明】
【００１８】
【図１】本発明に係る防災無線システムの一実施の形態について説明するための略線図である。
【図２】第１の無線受信機の構成の一例を示すブロック図である。
【図３】第２の無線受信機の構成の一例を示すブロック図である。
【図４】本発明に係る防災無線システムの動作について説明するためのシーケンス図である。
【発明を実施するための形態】
【００１９】
次に、本発明を実施するための形態について、図面を参照しながら詳細に説明する。まず、図１を参照して、本発明に係る防災無線システムの一実施の形態について、概略的に説明する。
【００２０】
本発明に係る防災無線システム１は、緊急地震速報や緊急津波速報、緊急警報放送や、自治体等によって放送される同報系防災行政無線等を受信する第１の無線受信機１０と、第１の無線受信機１０の制御に基づき動作し、緊急情報を受信した際に、他の電子機器の操作を制御する第２の無線受信機２０とで構成される。尚、以下では、緊急地震速報や緊急津波速報、緊急警報放送や、自治体等によって放送される同報系防災行政無線等を「緊急情報」と称して説明する。
【００２１】
この防災無線システム１において、第１の無線受信機１０は、緊急情報を受信すると、電源のＯＮ／ＯＦＦに関わらず、予め設定された周波数のチャンネルの放送を出力すると共に、本体に設けられたＬＥＤ等の表示部を点灯／点滅させ、緊急情報を受信したことをユーザに対して通知する。また、第１の無線受信機１０は、第２の無線受信機２０を起動させるための起動信号を出力する。
【００２２】
第２の無線受信機２０は、第１の無線受信機１０から出力された起動信号を受信すると、第１の無線受信機１０と同様に、電源のＯＮ／ＯＦＦに関わらず、予め設定された周波数のチャンネルの放送を出力すると共に、本体に設けられたＬＥＤ等の表示部を点灯／点滅させ、緊急情報を受信したことをユーザに対して通知する。
【００２３】
また、第２の無線受信機２０は、テレビジョン受像機（以下、「テレビ」とする）等の予め設定された他の電子機器３０を操作するためのリモートコントローラ（以下、「リモコン」とする）として、電子機器３０の操作を制御するための制御信号を出力する。これにより、テレビ等の他の電子機器３０の電源を自動的にＯＮとすることができる。
【００２４】
第１の無線受信機１０は、後述する第２の無線受信機２０との間で通話を行うトランシーバ機能と、行政防災無線を受信する機能と、ＦＭ（Frequency Modulation）ラジオ放送を受信する機能と、緊急情報を受信した際に、第２の無線受信機２０を起動させる機能とを備える。
【００２５】
第１の無線受信機１０は、図２に示すように、トランシーバ機能部１１、行政防災無線受信部１２、ＦＭ受信部１３、検出部１４、制御部１５、起動信号送信部１６、音声出力部１７、表示部１８及び電源部１９を備え、アンテナ２を介して各種無線信号の送受信を行う。
【００２６】
トランシーバ機能部１１は、後述する制御部１５の制御に基づき、上述したトランシーバ機能を実行する。トランシーバ機能部１１は、アンテナ２を介して第２の無線受信機２０からの音声信号を受信し、受信した音声信号に対して所定の信号処理を施し、音声出力部１７に供給する。また、トランシーバ機能部１１は、図示しないマイクロフォン等の音声入力部に入力された音声信号に対して所定の信号処理を施し、アンテナ２を介して第２の無線受信機２０に対して送信する。尚、トランシーバ機能については、一般的なトランシーバと同様であるため、詳細な説明を省略する。
【００２７】
行政防災無線受信部１２は、第１の無線受信機１０の電源がＯＦＦである場合でも、自治体等から送信された行政防災無線信号をアンテナ２を介して受信したか否かを所定時間毎に確認し、行政防災無線信号を受信した場合には、この無線信号に基づく音声信号を音声出力部１７及び検出部１４に供給する。
【００２８】
ＦＭ受信部１３は、ＦＭ変調された無線信号をアンテナ２を介して受信し、復調して得られる音声信号を音声出力部１７及び検出部１４に供給する。また、ＦＭ受信部１３は、第１の無線受信機１０の電源がＯＦＦである場合でも、所定の周波数帯域の無線信号を受信したか否かを所定時間毎に確認し、所定の周波数帯域の無線信号を受信した場合には、この無線信号に基づく音声信号を音声出力部１７及び検出部１４に供給する。
【００２９】
検出部１４は、行政防災無線受信部１２及び／又はＦＭ受信部１３から供給される音声信号に基づき、緊急情報を受信したか否かを検出する。緊急情報を検出した場合、検出部１４は、緊急情報を検出したことを示す検出情報を制御部１５に供給する。
【００３０】
ここで、ＦＭラジオ放送による無線信号には、緊急地震速報や緊急津波速報等の緊急放送であることを示す情報が付加され、検出部１４は、無線信号に負荷されたこの情報に基づき、緊急放送であるか否かを検出することができる。
【００３１】
制御部１５は、この第１の無線受信機１０に設けられた各部を制御する。制御部１５は、検出部１４から検出情報を受け取った場合に、電源のＯＮ／ＯＦＦに関わらず、行政防災無線受信部１２で受信した行政防災無線信号に基づく音声や、ＦＭ受信部１３で受信した無線信号に基づく音声を、スピーカ等の音声出力部１７から出力するように制御する。このとき、制御部１５は、音声出力部１７から出力される音声を、例えば、最大音量で出力するように制御する。
【００３２】
また、制御部１５は、検出部１４から検出情報を受け取った場合に、緊急情報を受信したことをユーザに通知するため、ＬＥＤ等の表示部１８を点灯／点滅させて表示するように制御する。さらに、制御部１５は、検出部１４から検出情報を受け取った場合に、第２の無線受信機２０を起動させるための起動信号を生成し、起動信号送信部１６に供給する。
【００３３】
起動信号送信部１６は、制御部１５で生成された起動信号を受け取り、アンテナ２を介して送信する。電源部１９は、この第１の無線受信機１０に設けられた各部を動作させるために必要な電圧を生成し、各部に供給する。
【００３４】
第２の無線受信機２０は、第１の無線受信機１０との間で通話を行うトランシーバ機能と、ＦＭ（Frequency Modulation）ラジオ放送を受信する機能と、緊急情報を受信した際に、外部の電子機器３０を操作制御するための機能とを備える。
【００３５】
第２の無線受信機２０は、図３に示すように、トランシーバ機能部２１、ＦＭ受信部２２、起動信号受信部２３、制御部２４、赤外線送信部２５、音声出力部２６、表示部２７及び電源部２８を備え、アンテナ３を介して各種無線信号の受信を行う。尚、トランシーバ機能部２１、ＦＭ受信部２２、音声出力部２６、表示部２７及び電源部２８については、上述した第１の無線受信機１０におけるトランシーバ機能部１１、ＦＭ受信部１３、音声出力部１７、表示部１８及び電源部１９と同様であるため、説明を省略する。
【００３６】
起動信号受信部２３は、第１の無線受信機１０から送信された起動信号を、アンテナ３を介して受信し、制御部２４に対して供給する。
【００３７】
制御部２４は、この第２の無線受信機２０に設けられた各部を制御する。制御部２４は、起動信号受信部２３から起動信号を受け取った場合に、第１の無線受信機１０が緊急情報を受信したと判断し、緊急放送をスピーカ等の表示部２７から出力するように制御すると共に、ＬＥＤ等の表示部２７を点灯／点滅させて表示するように制御する。
【００３８】
また、制御部２４は、起動信号受信部２３から起動信号を受け取った場合に、他の電子機器３０を操作制御するための制御信号を、赤外線送信部２５に供給する。この制御信号は、ユーザが予め設定することができ、操作対象となる電子機器や操作内容に応じて設定を変更することもできる。具体的には、例えば、特定のテレビの電源をＯＮにするため信号を制御信号として設定することができる。
【００３９】
尚、制御信号としては、テレビの電源をＯＮとするなど、単一の動作を実行するための信号に限られず、例えば、テレビの電源をＯＮとした後、所定のチャンネルに切り替える等、複数の動作を連続的に実行するための信号としてもよい。このように、本発明に係る第２の無線受信機２０から送信される制御信号は、予め設定されたシーケンシャルプログラムに基づき、他の電子機器３０を操作制御することができる。
【００４０】
赤外線送信部２５は、制御部２４からの制御信号を受け取り、赤外線信号に変換して外部に出力する。
【００４１】
次に、上記構成を有する防災無線システム１の動作について、図４に示すシーケンス図を参照して説明する。尚、この例では、初期状態として、第１の無線受信機１０及び第２の無線受信機２０の電源がＯＦＦとされた状態である場合について説明する。
【００４２】
まず、以下の動作に先立って、第１の無線受信機１０では、行政防災無線受信部１２及びＦＭ受信部１３によって所定時間毎に無線信号を受信したか否かを確認している。ステップＳ１において、第１の無線受信機１０の行政防災無線受信部１２及び／又はＦＭ受信部１３は、行政防災無線信号やＦＭラジオ放送の無線信号を受信する。
【００４３】
次に、検出部１４は、受信した無線信号による音声信号に基づき、緊急情報を受信したか否かを判断する。緊急情報を受信したと判断した場合には、処理がステップＳ３に移行し、制御部１５は、第１の無線受信機１０の電源をＯＮとして起動する。一方、緊急情報を受信していないと判断した場合には、処理がステップＳ１に戻る。
【００４４】
ステップＳ４において、制御部１５は、受信した緊急情報に基づき、音声を最大音量に設定して音声出力部１７から出力すると共に、表示部１８による点灯／点滅等の表示を行うように制御する。そして、制御部１５は、第２の無線受信機２０を起動させるための起動信号を生成し（ステップＳ５）、生成した起動信号を、起動信号送信部１６及びアンテナ２を介して第２の無線受信機２０に対して送信する（シーケンスＳＥＱ１）。
【００４５】
第２の無線受信機２０の制御部２４は、第１の無線受信機１０から送信された起動信号を、アンテナ３及び起動信号受信部２３を介して受信すると、制御部２４は、第２の無線受信機２０の電源をＯＮとして起動する（ステップＳ６）。次に、制御部２４は、緊急放送を表示部２７から出力すると共に、表示部２７による点灯／点滅等の表示を行うように制御する（ステップＳ７）。
【００４６】
そして、制御部２４は、予め設定された他の電子機器３０を操作制御するための制御信号を、赤外線送信部２５を介して外部に送信する（ステップＳ８）。
【００４７】
以上のように、本実施の形態によれば、緊急地震速報等の緊急情報を第１の無線受信機で受信した場合に、第１の無線受信機が起動して、緊急情報を受信したことをユーザに対して通知すると共に、第１の無線受信機から第２の無線受信機に対して起動信号を送信する。第２の無線受信機では、この起動信号を受信すると、第２の無線受信機が起動して、緊急情報を受信したことをユーザに対して通知すると共に、他の電子機器を操作制御するための制御信号を赤外線信号で送信する。そのため、緊急放送を受信した場合に、ユーザによる他の電子機器操作が困難な場合であっても、他の電子機器の動作を制御することができる。
【符号の説明】
【００４８】
１  防災無線システム
２  アンテナ
３  アンテナ
１０  第１の無線受信機
１１  トランシーバ機能部
１２  行政防災無線受信部
１３  ＦＭ受信部
１４  検出部
１５  制御部
１６  起動信号送信部
１７  音声出力部
１８  表示部
１９  電源部
２０  第２の無線受信機
２１  トランシーバ機能部
２２  ＦＭ受信部
２３  起動信号受信部
２４  制御部
２５  赤外線送信部
２６  音声出力部
２７  表示部
２８  電源部
３０  電子機器
【図１】
2014027576.tif 000003
【図２】
2014027576.tif 000004
【図３】
2014027576.tif 000005
【図４】
2014027576.tif 000006